(57)【要約】【課題】  動的に排紙口を設定する印刷システムにおいて、設定された排紙口を排紙前にユーザが知ることができるようにする。【解決手段】  複数の用紙排紙口を備えた印刷装置と１または複数台の印刷制御装置とを含む印刷システムであって、前記印刷装置は、排紙口の使用状況を検知する手段と、印刷制御装置からの排紙口の使用状況の問い合わせに対して、使用状況情報を送信する手段と、排紙口指定コマンドに基づいて、印刷済みの用紙を指定に係る用紙排紙口に排紙する手段とを備え、前記印刷制御装置は、排紙口の使用状況の問い合わせを行なう手段と、使用状況情報に基づいて排紙口を決定する手段と、前記決定した排紙口をユーザに通知する手段と、前記決定した用紙排紙口を指定する用紙排紙口指定コマンドを前記印刷装置に送信する手段とを備えることを特徴とする印刷システム。【選択図】  図２
2005190093.tif 000002
【特許請求の範囲】
【請求項１】
複数の用紙排紙口を備えた印刷装置と１または複数台の印刷制御装置とを含む印刷システムであって、
前記印刷制御装置は、
前記印刷装置に排紙口の使用状況の問い合わせを行なう使用状況問い合わせ手段と、
前記印刷装置から送られた使用状況情報に基づいて排紙口を決定する排紙口決定手段と、
前記決定した排紙口をユーザに通知する排紙口通知手段と、
前記決定した用紙排紙口を指定する用紙排紙口指定コマンドを前記印刷装置に送信するコマンド出力手段とを備え、
前記印刷装置は、
前記用紙排紙口の使用状況を検知する使用状況検知手段と、
前記印刷制御装置からの排紙口の使用状況の問い合わせに対して、前記使用状況検知手段の検知結果に基づく使用状況情報を送信する使用状況送信手段と、
前記印刷制御装置からの排紙口指定コマンドに基づいて、印刷済みの用紙を指定に係る用紙排紙口に排紙する排紙手段とを備えることを特徴とする印刷システム。
【請求項２】
複数の用紙排紙口を備えた印刷装置と１または複数台の印刷制御装置とを含む印刷システムであって、
前記印刷制御装置は、
前記印刷装置に排紙口の使用状況の問い合わせを行なう使用状況問い合わせ手段と、
前記印刷装置から送られた使用状況情報をユーザに提示して、排紙口の指定を受け付ける排紙口指定受け付け手段と、
前記指定された用紙排紙口を指定する用紙排紙口指定コマンドを前記印刷装置に送信するコマンド出力手段とを備え、
前記印刷装置は、
前記用紙排紙口の使用状況を検知する使用状況検知手段と、
前記印刷制御装置からの排紙口の使用状況の問い合わせに対して、前記使用状況検知手段の検知結果に基づく使用状況情報を送信する使用状況送信手段と、
前記印刷制御装置からの排紙口指定コマンドに基づいて、印刷済みの用紙を指定に係る用紙排紙口に排紙する排紙手段とを備えることを特徴とする印刷システム。
【請求項３】
複数の用紙排紙口を備えた印刷装置であって、
前記用紙排紙口の使用状況を検知する使用状況検知手段と、
前記印刷制御装置からの排紙口の使用状況の問い合わせに対して、前記使用状況検知手段の検知結果に基づく使用状況情報を送信する使用状況送信手段と、
前記印刷制御装置からの排紙口指定コマンドに基づいて、印刷済みの用紙を指定に係る用紙排紙口に排紙する排紙手段とを備えることを特徴とする印刷装置。
【請求項４】
請求項３に記載の印刷装置において、
前記使用状況検知手段は、前記用紙排紙口の使用状況として各用紙排紙口毎に用紙が存在するかどうかを検知することを特徴とする印刷装置。
【請求項５】
複数の用紙排紙口を備えた印刷装置を制御する印刷制御装置であって、
前記印刷装置に排紙口の使用状況の問い合わせを行なう使用状況問い合わせ手段と、
前記印刷装置から送られた使用状況情報に基づいて排紙口を決定する排紙口決定手段と、
前記決定した排紙口をユーザに通知する排紙口通知手段と、
前記決定した用紙排紙口を指定する用紙排紙口指定コマンドを前記印刷装置に送信するコマンド出力手段とを備えることを特徴とする印刷制御装置。
【請求項６】
請求項５に記載の印刷制御装置において、
前記排紙口決定手段は、前記使用状況情報として、用紙排紙口の空き具合に関する情報を受信し、空いている用紙排紙口の中からあらかじめ定めた規則にしたがって排紙口を決定することを特徴とする印刷制御装置。
【請求項７】
複数の用紙排紙口を備えた印刷装置を制御する印刷制御装置であって、
前記印刷装置に排紙口の使用状況の問い合わせを行なう使用状況問い合わせ手段と、
前記印刷装置から送られた使用状況情報をユーザに提示して、排紙口の指定を受け付ける排紙口指定受け付け手段と、
前記指定された用紙排紙口を指定する用紙排紙口指定コマンドを前記印刷装置に送信するコマンド出力手段とを備えることを特徴とする印刷制御装置。
【請求項８】
請求項７に記載の印刷制御装置において、
前記排紙口指定受け付け手段は、前記使用状況情報として用紙排紙口の空き具合に関する情報をユーザに提示して、空いている排紙口の中から指定を受け付けることを特徴とする印刷制御装置。
【請求項９】
複数の用紙排紙口を備えた印刷装置を制御する印刷制御装置としてコンピュータを機能させるプリンタドライバであって、
前記印刷装置に排紙口の使用状況の問い合わせを行なう使用状況問い合わせ手段と、
前記印刷装置から送られた使用状況情報に基づいて排紙口を決定する排紙口決定手段と、
前記決定した排紙口をユーザに通知する排紙口通知手段と、
前記決定した用紙排紙口を指定する用紙排紙口指定コマンドを前記印刷装置に送信するコマンド出力手段とをコンピュータに機能させることを特徴とするプリンタドライバ。
【請求項１０】
請求項９に記載のプリンタドライバにおいて、
前記排紙口決定手段は、前記使用状況情報として、用紙排紙口の空き具合に関する情報を受信し、空いている用紙排紙口の中からあらかじめ定めた規則にしたがって排紙口を決定することを特徴とするプリンタドライバ。
【請求項１１】
複数の用紙排紙口を備えた印刷装置を制御する印刷制御装置としてコンピュータを機能させるプリンタドライバであって、
前記印刷装置に排紙口の使用状況の問い合わせを行なう使用状況問い合わせ手段と、
前記印刷装置から送られた使用状況情報をユーザに提示して、排紙口の指定を受け付ける排紙口指定受け付け手段と、
前記指定された用紙排紙口を指定する用紙排紙口指定コマンドを前記印刷装置に送信するコマンド出力手段とをコンピュータに機能させることを特徴とするプリンタドライバ。
【請求項１２】
請求項１１に記載のプリンタドライバにおいて、
前記排紙口指定受け付け手段は、前記使用状況情報として用紙排紙口の空き具合に関する情報をユーザに提示して、空いている排紙口の中から指定を受け付けることを特徴とするプリンタドライバ。
【発明の詳細な説明】
【技術分野】
【０００１】
本発明は、印刷システムに係り、特に、複数の用紙排紙口を備えた印刷装置を含む印刷システムに関する。
【背景技術】
【０００２】
オフィス用途向けに開発されたプリンタのように、複数のユーザにより共用されることを想定したプリンタでは、複数の用紙排紙口を備え、印刷を行なったユーザ毎に異なる排紙口から印刷済みの用紙を排紙する、いわゆる、メールボックス機能を備えているものが知られている。
【０００３】
従来、メールボックス機能は、ユーザと排紙口とがあらかじめ固定的に対応付けられたものであった。このため、排紙口の数よりユーザの数の方が多い等の理由で、同一の排紙口に複数のユーザが設定されている場合には、一つの排紙口に異なるユーザからの印刷結果が混在することがあった。
【０００４】
この問題を解決するため、特許文献１では、ホストコンピュータから送られた印刷データを受信したプリンタが、未使用のビンを検出することで動的に排紙口を設定し、どの排紙口に出力したかをホストコンピュータに返信してユーザに通知する技術が開示されている。
【０００５】
【特許文献１】特開２００１−８８４０４号公報
【発明の開示】
【発明が解決しようとする課題】
【０００６】
上述の技術では、動的に排紙口が設定されるものの、どの排出口から排紙されたのをユーザが知るのは印刷終了後である。このため、ユーザは、印刷処理の終了後に通知される排紙口を確認してから印刷結果をプリンタまで取りに行かなければならない。
【０００７】
本発明は、動的に排紙口を設定する印刷システムにおいて、設定された排紙口を排紙前にユーザが知ることができるようにする技術を提供することを目的とする。
【課題を解決するための手段】
【０００８】
上記課題を解決するための本発明の第１の態様は、
複数の用紙排紙口を備えた印刷装置と１または複数台の印刷制御装置とを含む印刷システムであって、
前記印刷制御装置は、
前記印刷装置に排紙口の使用状況の問い合わせを行なう使用状況問い合わせ手段と、
前記印刷装置から送られた使用状況情報に基づいて排紙口を決定する排紙口決定手段と、
前記決定した排紙口をユーザに通知する排紙口通知手段と、
前記決定した用紙排紙口を指定する用紙排紙口指定コマンドを前記印刷装置に送信するコマンド出力手段とを備え、
前記印刷装置は、
前記用紙排紙口の使用状況を検知する使用状況検知手段と、
前記印刷制御装置からの排紙口の使用状況の問い合わせに対して、前記使用状況検知手段の検知結果に基づく使用状況情報を送信する使用状況送信手段と、
前記印刷制御装置からの排紙口指定コマンドに基づいて、印刷済みの用紙を指定に係る用紙排紙口に排紙する排紙手段とを備えることを特徴とする印刷システムである。
【０００９】
本発明の第１の態様によれば、印刷制御装置が印刷装置の排紙口の使用状況に基づいて排紙口を動的に決定してユーザに通知するとともに印刷装置に送信するため、設定された排紙口を排紙前にユーザが知ることができるようになる。
【００１０】
また、上記課題を解決するための本発明の第２の態様は、
複数の用紙排紙口を備えた印刷装置と１または複数台の印刷制御装置とを含む印刷システムであって、
前記印刷制御装置は、
前記印刷装置に排紙口の使用状況の問い合わせを行なう使用状況問い合わせ手段と、
前記印刷装置から送られた使用状況情報をユーザに提示して、排紙口の指定を受け付ける排紙口指定受け付け手段と、
前記指定された用紙排紙口を指定する用紙排紙口指定コマンドを前記印刷装置に送信するコマンド出力手段とを備え、
前記印刷装置は、
前記用紙排紙口の使用状況を検知する使用状況検知手段と、
前記印刷制御装置からの排紙口の使用状況の問い合わせに対して、前記使用状況検知手段の検知結果に基づく使用状況情報を送信する使用状況送信手段と、
前記印刷制御装置からの排紙口指定コマンドに基づいて、印刷済みの用紙を指定に係る用紙排紙口に排紙する排紙手段とを備えることを特徴とする印刷システムである。
【００１１】
本発明の第２の態様によれば、印刷制御装置が印刷装置の排紙口の使用状況をユーザに提示し、ユーザからの指定に基づいて排紙口を決定して印刷装置に送信するため、設定された排紙口を排紙前にユーザが知ることができるようになる。
【発明を実施するための最良の形態】
【００１２】
本実施の形態について、図面を参照して詳細に説明する。
【００１３】
図１は、本発明を適用したネットワーク印刷システムのハードウェア構成の概要を説明するためのブロック図である。
【００１４】
本図に示すように、ネットワーク印刷システムは、アプリケーションソフトウェアによる各種処理、プリンタドライバによる印刷処理等を実現するための複数台のコンピュータ３０と、複数の排紙口を備え、いわゆるメールボックス機能を有するプリンタ１０とがコンピュータネットワークにより接続されて構成される。本実施形態において、コンピュータ３０は、印刷データを生成し、プリンタ１０に送信する印刷制御装置として機能し、プリンタ１０は、受信した印刷データに基づいて印刷を行なう印刷装置として機能する。
【００１５】
コンピュータ３０を印刷制御装置として機能させるためのコンピュータプログラムであるプリンタドライバは、一般にプリンタ１０のメーカによって開発され、ＣＤ−ＲＯＭ等の記録媒体に記録されて頒布されたり、インターネット等のコンピュータネットワークを介して流通される。なお、ネットワーク印刷システムの構成はこれに限られない。
【００１６】
コンピュータ３０は、例えば、汎用的なパーソナルコンピュータを用いることができ、各種プログラムを実行するＣＰＵ（Central Processing Unit）３１、データおよびプログラム等を一時的に記憶するＲＡＭ（Random Access Memory）３２、コンピュータ３０を制御するための各種データ、各種プログラム等があらかじめ不揮発的に記憶されているＲＯＭ（Read Only Memory）３３、および、ネットワークに接続するためのネットワークインタフェース３４を備えている。
【００１７】
また、コンピュータ３０には、カラーディスプレイ等の表示装置２１、マウス、キーボード等の入力装置２２、ＣＤ−ＲＯＭ等の記録媒体からデータを読み取るメディア読取装置２３および内蔵または外付けの補助記憶装置２４が接続される。もちろん、コンピュータ３０の構成はこれに限られない。
【００１８】
プリンタ１０は、例えば、レーザ方式のページプリンタである。レーザ方式のページプリンタは、筐体内にトナーを収容したトナーカートリッジを備え、このトナーを印刷用紙等の印刷媒体に転写することで印刷を行なう。なお、プリンタ１０は、カラーレーザプリンタ、モノクロレーザプリンタのいずれであってもよい。また、レーザ方式に替え、例えば、インクジェット方式のプリンタを用いてもよい。
【００１９】
プリンタ１０は、ネットワークを介してのコンピュータ３０とのデータの送受信をつかさどるインタフェース１１、プリンタドライバ等の各種プログラムを実行するＣＰＵ１２、印刷データ等を一時的に記憶するＲＡＭ１３、プリンタ１０を制御するための各種データ、各種プログラム等があらかじめ不揮発的に記憶されているＲＯＭ１４、トナーカートリッジ、感光体ドラム、レーザ光照射機構等からなる印刷エンジン１５、ユーザからの指示を受け付ける操作パネル１６、フォントデータ等を格納するハードディスク（ＨＤＤ）１７、給紙を行なう給紙装置１８、印刷済みの用紙を排紙する排紙装置１９を備えて構成される。もちろん、プリンタ１０の構成はこれに限られない。
【００２０】
排紙装置１９は、複数の排紙口（ビン）を有しており、コンピュータ３０から印刷データに含めて送られてくるビン指定コマンドに基づいて、いずれかのビンから用紙を排紙する。すなわち、複数設けられたビンは、いわゆるメールボックスとして機能する。
【００２１】
次に、上記印刷システムによりコンピュータ３０およびプリンタ１０に実現される機能構成について、図２のブロック図を参照して説明する。
【００２２】
本図に示すように、コンピュータ３０上には、オペレーティングシステム部３００と、アプリケーション部３１０と、プリンタドライバ部３２０とが構成される。
【００２３】
オペレーティングシステム部３００は、コンピュータ３０のシステム管理と、基本的なユーザー操作環境を提供する、いわゆる、コンピュータ３０の基本ソフトウェアである。
【００２４】
アプリケーション部３１０は、ドキュメントを作成・編集する処理をコンピュータ３０に行なわせるための機能を有しており、ＲＡＭ３２が読み込んだワードプロセッサプログラム、グラフィックス処理プログラム等を、ＣＰＵ３１が実行することによりコンピュータ３０上に構成される。
【００２５】
プリンタドライバ部３２０は、プリンタ１０を制御して印刷を実行させるための処理を行なう。具体的には、ユーザからの印刷指示を受け付けると、アプリケーション部３１０が生成したドキュメントの描画データを読み込んで、印刷設定にしたがってプリンタ１０が解釈できる形式の印刷データに変換し、ネットワークインタフェース３４を介してプリンタ１０に送信する。ここで、描画データは、オペレーティングシステム部３００で定義されている仕様で記載されたデータであり、印刷データは、例えば、ページ記述言語で記載され、プリンタ１０を制御するコマンド群から構成されている。なお、印刷データには、プリンタ１０のいずれのビンから排紙することを指定するためのビン指定コマンドを含めることができる。
【００２６】
これらの処理を行なうため、プリンタドライバ部３２０は、印刷指示、印刷設定等をユーザから受け付けるユーザインタフェース部３２１と、印刷データの生成、管理、送信等を行なう印刷処理部３２２とを備えている。
【００２７】
本実施形態において、ユーザインタフェース部３２１は、印刷実行時において、プリンタ１０が備えるビンの使用状況をプリンタ１０に問い合わせ、取得したビンの使用状況に応じて指定するビンを動的に決定するビン設定部３２１ａを備えている。ここで、使用状況は、例えば、ビンが空いているかどうかとすることができる。
【００２８】
すなわち、本実施形態では、コンピュータ３０が、プリンタ１０に備えられた複数のビンの使用状況を取得し、空いているビンを指定ビンとして決定する。そして、ユーザに排紙するビンを通知するとともに、決定したビンを指定するビン指定コマンドを印刷データに含めてプリンタ１０に出力するようにしている。
【００２９】
これにより、プリンタ１０が印刷データに基づく印刷処理を開始する前に、ユーザは、排紙されるビンを知ることができるようになる。
【００３０】
図２において、プリンタ１０上には、印刷制御部１１０および印刷実行部１２０が構築される。
【００３１】
印刷制御部１１０は、コンピュータ３０から送信された印刷データを解釈して、印刷データに基づく印刷をプリンタ１０で実行するための制御を行なう。具体的には、印刷データに基づくプリントイメージデータを生成し、このプリントイメージデータを印刷するように印刷実行部１２０に指示を送る。
【００３２】
印刷実行部１２０は、印刷エンジン１５、給紙装置１８、排紙装置１９等から構成され、印刷制御部１１０の指示にしたがって、給紙装置１８から給紙された用紙に対して印刷エンジン１５による印刷を実行する。そして、排紙装置１９が印刷済の印刷用紙を排紙する。この際、印刷データに含まれるビン指定コマンドによりビンが指定されている場合には、指定されたビンに排紙する。印刷データにビン指定コマンドが含まれていない場合には、あらかじめ定められている標準の排紙口、例えば、フェースダウントレイから排紙される。
【００３３】
本実施形態において、プリンタ１０は、ビン毎に使用状況を把握できるようになっている。使用状況は、例えば、ビンが使用されているかどうかであり、ビンが使用されている状態とはビンに印刷済みの用紙が残っている状態であるとする。
【００３４】
このため、印刷実行部１２０は、ビン使用状況検知部１２０ａを有している。ビン使用状況検知部１２０ａは、例えば、各ビンに用紙センサを配置し、用紙の有無を検知するようにする。用紙センサは光学式、機械式等を問わず用いることができる。
【００３５】
また、印刷制御部１１０は、コンピュータ３０からビン使用状況の問い合わせを受け付けると、ビン使用状況検知部１２０ａにより各ビンの使用状況を調べ、その結果をコンピュータ３０に送信する。
【００３６】
つぎに、上記構成による本発明の第１の実施例における印刷システムの処理動作について図３のフロー図を参照して説明する。本フロー図の左側に示した処理は、コンピュータ３０における処理であり、本フロー図の右側に示した処理は、プリンタ１０における処理である。
【００３７】
本処理は、メールボックス機能を利用した印刷実行時に行なわれる。すなわち、ユーザからメールボックスを使用する指示を含む印刷命令を受け付けた場合に処理を開始する。この命令は、プリンタドライバ部３２０のユーザインタフェース部３２１を介してユーザから受け付けることができる。
【００３８】
まず、プリンタドライバ部３２０のビン設定部３２１ａは、プリンタ１０の印刷制御部１１０にビンの使用状況を問い合わせる（Ｓ１０１）。
【００３９】
この問い合わせに応答して、印刷制御部１１０は、印刷実行部１２０のビン使用状況検知部１２０ａを用いて、各ビンの使用状況を取得し、空いているビンの情報をプリンタドライバ部３２０のビン設定部３２１ａに送信する（Ｓ２０１）。もちろん、空いているビンの情報に代えて、各ビン毎に空きか否かの情報を送信するようにしてもよい。
【００４０】
空いているビンの情報を受信したプリンタドライバ部３２０のビン設定部３２１ａは、あらかじめ定められた規則にしたがって、指定するビンを決定する（Ｓ１０２）。
【００４１】
ここで、あらかじめ定められた規則は、例えば、各ビンに優先順位を付しておき、空いているビンの中で最も優先順位の高いビンを指定するビンと決定する規則とすることができる。優先順位は、例えば、ビンの上からの並び順とすることができる。また、空いているビンがないときは、例えば、デフォルトの排紙口を指定するビンと決定するようにすることができる。あるいは、空きビンができるまで印刷実行を待つようにしてもよい。
【００４２】
指定するビンを決定すると、ユーザインタフェース部３２１ａは、図４に一例を示すような表示を行なって、ユーザにどのビンから排紙を行なうかを通知する（Ｓ１０３）。
【００４３】
また、印刷処理部３２２は、印刷対象の印刷データを生成するとともに、決定したビンを指定するためのビン指定コマンドを印刷データに含めてプリンタ１０に出力する（Ｓ１０４）。
【００４４】
そして、プリンタ１０が、印刷データに基づいて印刷を実行し（Ｓ２０２）、ビン指定コマンドにしたがって、指定されたビンから印刷用紙を排紙する（Ｓ２０３）。
【００４５】
このように、本実施例によれば、プリンタ１０が印刷データに基づく印刷処理を開始する前に、ユーザは、排紙されるビンを知ることができるようになる。
【００４６】
つぎに、上記構成による本発明の第２の実施例における印刷システムの処理動作について図５のフロー図を参照して説明する。上述の第１の実施例では、ビンの空き状況を取得すると、プリンタドライバ部３２０があらかじめ定められた規則にしたがって指定するビンを決定していたが、本実施事例では、ユーザにビンの空き状況を提示してユーザからビンの指定を受け付けるようにする。本フロー図においても左側に示した処理は、コンピュータ３０における処理であり、右側に示した処理は、プリンタ１０における処理である。
【００４７】
本処理は、メールボックス機能を利用した印刷実行時に行なわれる。すなわち、ユーザからメールボックスを使用する指示を含む印刷命令を受け付けた場合に処理を開始する。この命令は、プリンタドライバ部３２０のユーザインタフェース部３２１を介してユーザから受け付けることができる。
【００４８】
まず、プリンタドライバ部３２０のビン設定部３２１ａは、プリンタ１０の印刷制御部１１０にビンの使用状況を問い合わせる（Ｓ１１１）。
【００４９】
この問い合わせに応答して、印刷制御部１１０は、印刷実行部１２０のビン使用状況検知部１２０ａを用いて、各ビンの使用状況を取得し、空いているビンの情報をプリンタドライバ部３２０のビン設定部３２１ａに送信する（Ｓ２１１）。
【００５０】
空いているビンの情報を受信したプリンタドライバ部３２０のビン設定部３２１ａは、図６に一例を示すようなビン指定画面を表示して（Ｓ１１２）、ユーザからビンの指定を受け付ける（Ｓ１１３）。
【００５１】
ビン指定画面には、各ビン毎に空いているかどうかの情報を示し、指定を受け付けるための欄を設けるようにする。本図の例では、空いていないビンはグレーで表示して指定をできないようにしている。ただし、埋まっているビンを指定できるようにしてもよい。また、例えば、フェースダウントレイのようにデフォルトとして設定されているビンに限って、空いていない場合にも指定できるようにしてもよい。
【００５２】
印刷処理部３２２は、印刷対象の印刷データを生成するとともに、ユーザから指定を受け付けたビンを指定するためのビン指定コマンドを印刷データに含めてプリンタ１０に出力する（Ｓ１１４）。このとき、第１の実施例と同様にユーザインタフェース部３２１ａが、図４に一例を示すような表示を行なって、ユーザにどのビンから排紙を行なうかを通知するようにしてもよい。
【００５３】
そして、プリンタ１０が、印刷データに基づいて印刷を実行し（Ｓ２１２）、ビン指定コマンドにしたがって、指定されたビンから印刷用紙を排紙する（Ｓ２１３）。
【００５４】
このように、本実施例によっても、プリンタ１０が印刷データに基づく印刷処理を開始する前に、ユーザは、排紙されるビンを知ることができるようになる。
【図面の簡単な説明】
【００５５】
【図１】ネットワーク印刷システムのハードウェア構成を示すブロック図。
【図２】ネットワーク印刷システムの機能構成を示すブロック図。
【図３】第１の実施例の処理動作を説明するフロー図。
【図４】排紙するビンを通知するための画面の一例を示す図。
【図５】第２の実施例の処理動作を説明するフロー図。
【図６】排紙するビンの指定を受け付けるための画面の一例を示す図。
【符号の説明】
【００５６】
１０…プリンタ、１１…インタフェース、１２…ＣＰＵ、１３…ＲＡＭ、１４…ＲＯＭ、１５…印刷エンジン、１６…操作パネル、１７…ＨＤＤ、１８…給紙装置、１９…排紙装置、２１…表示装置、２２…入力装置、２３…メディア読取装置、２４…補助記憶装置、３０…コンピュータ、３１…ＣＰＵ、３２…ＲＡＭ、３３…ＲＯＭ、３４…ネットワークインタフェース、１１０…印刷制御部、１２０…印刷実行部、１２０ａ…ビン使用状況検知部、３００…オペレーティングシステム部、３１０…アプリケーション部、３２０…プリンタドライバ部、３２１…ユーザインタフェース部、３２１ａ…ビン設定部、３２２…印刷処理部
【図１】
2005190093.tif 000003
【図２】
2005190093.tif 000004
【図３】
2005190093.tif 000005
【図４】
2005190093.tif 000006
【図５】
2005190093.tif 000007
【図６】
2005190093.tif 000008